(57)【要約】【課題】フィルム状試料にクラックを入れずに固定でき、水蒸気透過度を高検出限界まで測定可能とするガスセル、およびこのガスセルを用いた測定装置を提供することである。【解決手段】測定対象物を収納する、周囲に隔壁を有し、該隔壁に囲まれた凹部を有するガスケットの、前記隔壁上に接着剤、エラストーリングまたは金属博から選ばれた封止材を設け、この封止材を介して、フィルム状試料を、開口部を有する蓋部で被覆し、垂直に加圧固定することが可能なガスセルとした。【選択図】図１
2005017172.tif 000002
【特許請求の範囲】
【請求項１】
測定対象物を保持する周囲に隔壁と、該隔壁に囲まれた凹部を有するガスケットの、前記隔壁上に、接着剤、エラストマーリングまたは金属箔から選ばれるいずれかの封止材を設け、該封止材を介してフィルム状試料を配置し、その上に開口部を有する蓋部で被覆し、該蓋部を垂直方向に加圧し、固定することを特徴とするフィルム状試料の固定方法。
【請求項２】
前記フィルム状試料上にさらに接着剤、エラストマーリングまたは金属箔から選ばれるいずれかの封止材を配置することを特徴とする請求項１記載のフィルム状試料の固定方法。
【請求項３】
前記封止材及びフィルム状試料のうち、前記ガスケットと蓋部により覆われていない外側端部分を金属または金属化合物により封止する工程を有することを特徴とする請求項１または２記載のフィルム状試料の固定方法。
【請求項４】
測定対象物を保持する凹部を有するガスケットと該ガスケットの上部に、接着剤、エラストマーリングまたは金属箔から選ばれるいずれかの封止材を介してフィルム状試料を保持できる保持部を備え、さらに、その上に開口部を有する蓋部を備え、該蓋部を垂直方向に加圧可能な加圧固定手段を備えることを特徴とするガスセル。
【請求項５】
前記フィルム状試料上にさらに接着剤、エラストマーリングまたは金属箔から選ばれるいずれかの封止材を配置することを特徴とする請求項４記載のガスセル。
【請求項６】
前記封止材及びフィルム状試料のうち、前記ガスケットと蓋部により覆われていない部分が、金属または金属化合物により封止されていることを特徴とする請求項４または５記載のガスセル。
【請求項７】
少なくとも、容器内に、測定対象物を保持しフィルム状試料を固定するガスセルと、フィルム状試料を透過した測定対象物を測定するための測定手段を有するガス透過度測定装置であって、該ガスセルが請求項４〜６のいずれかに記載のガスセルであることを特徴とするガス透過度測定装置。
【発明の詳細な説明】
【０００１】
【発明の属する技術分野】
本発明は例えばプラスチック、セラミック、ガラス、金属、生物学上の薄膜等フィルム状試料の気体透過度（ガスバリア性）測定用ガスセル及び装置に関する。
【０００２】
【従来の技術】
フィルム材料へのガスバリヤー性付与は食品や薬品分野ではもちろん、近年ではガラスの代替としてフレキシブルディスプレイの分野においても注目となっている技術である。フィルムのガスバリヤー性は向上と同時にフィルムのガスバリヤー性を高感度、高精度で測定する技術が必要となってきている。
【０００３】
従来、酸素透過度、水蒸気透過度の測定にはカップ法やＭＯＣＯＮ社のＯＸ−ＴＲＡＮ、ＰＥＲＭＡＴＲＡＮ−ＷＩＤを用いたＭＯＣＯＮ法が主流であったが、これらの方法で測定する際、大面積のフィルム状試料が必要で、しかも実用レベルの検出感度は０．０１ｇ／ｍ２／ｄａｙである。従って、近年ではガスバリヤー性の向上に伴い、質量分析計を用いてさらに高感度、高精度で測定する方法が考案されている（例えば、特許文献１参照。）。
【０００４】
【特許文献１】
特開平０６−２４１９７８号公報
【０００５】
【発明が解決しようとする課題】
しかしながら、上記方法は以下に述べるような欠点があった。高真空中の圧力下では、フィルム状試料とガスケットあるいはフィルム状試料と蓋の間で密着が悪くリークしたり、封止剤自身からの透過によりフィルム状試料からの透過を見られなかったり、フィルム状試料とガスケットとを定量的に封止できなかったり、金属酸化膜を積層したプラスチックにおいては金属酸化膜が割れたり、クラックが入る等の弊害があった。
【０００６】
そこで、本発明者は上記問題を解決するために鋭意工夫を重ねた結果、高真空中の圧力下でも、フィルム状試料とガスケットあるいはフィルム状試料と蓋の間を高密着させリークすることなく、封止剤自身からの透過もなく、フィルム状試料とガスケットとを定量的に封止し、金属酸化膜を積層したプラスチックにおいても金属酸化膜が割れたり、クラックが入らず、高精度で、検出限界が０．０００１ｇ／ｍ２／ｄａｙ以下まで測定できるガスセル及び測定装置を提供することを目的とする。
【０００７】
【課題を解決するための手段】
請求項１に記載の発明は、測定対象物を保持する周囲に隔壁と、該隔壁に囲まれた凹部を有するガスケットの、前記隔壁上に、接着剤、エラストマーリングまたは金属箔から選ばれるいずれかの封止材を設け、該封止材を介してフィルム状試料を配置し、その上に開口部を有する蓋部で被覆し、該蓋部を垂直方向に加圧し、固定することを特徴とするフィルム状試料の固定方法である。
【０００８】
請求項２に記載の発明は、前記フィルム状試料上にさらに接着剤、エラストマーリングまたは金属箔から選ばれるいずれかの封止材を配置することを特徴とする請求項１記載のフィルム状試料の固定方法である。
【０００９】
請求項３に記載の発明は、前記封止材及びフィルム状試料のうち、前記ガスケットと蓋部により覆われていない外側端部分を金属または金属化合物により封止する工程を有することを特徴とする請求項１または２記載のフィルム状試料の固定方法である。
【００１０】
請求項４に記載の発明は、測定対象物を保持する凹部を有するガスケットと該ガスケットの上部に、接着剤、エラストマーリングまたは金属箔から選ばれるいずれかの封止材を介してフィルム状試料を保持できる保持部を備え、さらに、その上に開口部を有する蓋部を備え、該蓋部を垂直方向に加圧可能な加圧固定手段を備えることを特徴とするガスセルである。
【００１１】
請求項５に記載の発明は、前記フィルム状試料上にさらに接着剤、エラストマーリングまたは金属箔から選ばれるいずれかの封止材を配置することを特徴とする請求項４記載のガスセルである。
【００１２】
請求項６に記載の発明は、前記封止材及びフィルム状試料のうち、前記ガスケットと蓋部により覆われていない部分が、金属または金属化合物により封止されていることを特徴とする請求項４または５記載のガスセルである。
【００１３】
請求項７に記載の発明は、少なくとも、容器内に、測定対象物を保持しフィルム状試料を固定するガスセルと、フィルム状試料を透過した測定対象物を測定するための測定手段を有するガス透過度測定装置であって、該ガスセルが請求項４〜６のいずれかに記載のガスセルであることを特徴とするガス透過度測定装置である。
【００１４】
【発明の実施の形態】
以下、図面を参照しつつ本発明の詳細を説明する。
【００１５】
図１は、本発明のフィルム状試料保持用ガスセルの一態様を表す断面説明図である。
【００１６】
図１に示すように、ガスセルは、測定対象化合物（１５）を収納する、周囲に隔壁（７）と、該隔壁（７）に囲まれた凹部（８）を有するガスケット（１４）、前記隔壁（７）の上部に、中央に開口を有する封止剤（１３）、開口部（１１）を有する蓋部（１０）を配置した構成となっている。
そして、前記封止材（１３）と蓋部（１０）は、加圧固定治具（１６）で固定される。また、封止材（１３）は、端面に封止材剤暴露面（１７）を有する構造である。
測定に際して、測定対象化合物（１５）を保有できる空間を備えたガスケット（１４）に、測定対象化合物（１５）を注入し、該ガスケット（１４）上に封止材（１３）を介して、フィルム状試料（１２）、蓋部（１０）重ね、加圧固定治具（１６）にてフィルム状試料（１２）に対して垂直方向に加圧することで、フィルム状試料（１２）を固定する。
【００１７】
蓋部（１０）は、フィルム状試料を透過したガスが通過できる開口部（１１）を有する。開口部は、フィルム状試料に損傷を与えなければ１つで十分であるが、開口部の面積が広い、試料が脆い、あるいは積層したバリア膜が損傷しやすい等の場合には、開口部が複数設けられていることがより好ましい。
また、蓋とフィルム状試料間にステンレスディスク、多孔質のステンレスフィルター等を挟んで使用していもよい。また、これらにもガスを放出あるいはガスが吸着しにくい表面処理が施された方がより好ましい。
【００１８】
フィルム状試料（１２）は、プラスチックに限定されず、金属酸化膜を積層したプラスッチク、セラミック、ガラス、金属、生物学上の薄膜等のフィルム状試料が測定可能である。
測定対象化合物（１５）は、酸素、水蒸気に限られず揮発性化合物にも適応でき、複数のガスを同時に測定することも可能である。
より好ましくは、使用するガスが、存在比の少ない同位体を使用すると、装置のバックグランドが非常に小さくなり、検出感度を高くなる。
【００１９】
封止材（１３）は、測定対象化合物保有空間中の気密を保つことができれば、フィルム状試料とガスケット間のみで十分であるが、より気密を保つために蓋とフィルム状試料間、フィルム状試料とガスケット間に使用するとよい。また、封止材は、１枚だけでなく複数枚用いてもよいし、組み合わせてもよい。
【００２０】
ガスケット（１４）及び加圧固定治具（１６）の材質は、ガス放出の少ない、あるいはガス吸着の少ない金属であれば特に限定せず使用し得る。具体的には、ステンレス鋼（ＳＵＳ３０４、ＳＵＳ３１６）やアルミ合金（Ａ６０６３等）が望ましい。さらに、前記材料を電解研磨やバフ研磨やＴｉＮ被覆等ガスを放出あるいはガス吸着しにくい状態の表面処理が施された方がより好ましい。
また、より気密を保つために、ガスケットあるいは蓋部に、雌型、雄型とが設けた構造とすることで、より漏れなく封止できる。
【００２１】
加圧固定治具（１６）は、蓋、フィルム状試料、封止剤、ガスケットとを強固に固定でき、フィルム状試料に損傷を与えないものでなければいずれでもよい。固定手段の具体的なものとして、ホルダー、クランプ、クリップ、ねじ等が使用可能である。より好ましい固定手段は、蓋部面を垂直方向に均一に加圧できるものがよく、多点を対称にねじ止めするのが好ましい。また、前記仕様を満たすものであればねじの種類は、特に限定されない。
【００２２】
接着剤は、ガスを透過しにくいものであればいずれも使用可能でである。そして、接着剤は、真空中で耐えうる密着強度をもつなら単体でも使用可能であるが、加圧固定手段と併用することによってより定量的に安定に密着でき、真空中でフィルムが剥がれるという心配がない。
また、接着剤の種類は、１液型、２液混合型のいずれでもよく、室温あるいは加温下で硬化する接着剤を用いる。前記接着剤の硬化手段は、紫外線、電子線、、レーザー等を照射して硬化してもよい。
【００２３】
金属箔は、金属箔自身からのガス放出が少なく、ガス透過が小さい上、加圧することによって金属が変形することで、フィルム状試料とガスケットとの密着を図ることができる。
また、金属箔は、０．５μｍ〜５００μｍの厚さのものがよく、より好ましくは１０μｍ〜２００μｍである。また、より密着を図るために柔らかい材質の金属の方が好ましい。
【００２４】
エラストマーリングは、シート状のエラストマーをリングの形状に切り抜いたもの、また市販されているＪＩＳ規格のＯリングやＶリングでも使用可能である。
エラストマーリングの材質は、外力を加えると変形し、はずすと元の型に復元する特性を持つことで、気密を充分に保ちながらフィルム状試料及びバリア膜に損傷を与えないものがよい。
具体的には、耐薬品性、耐溶剤性が高く、加流剤、添加剤を使用していない、４フッ素化樹脂、フッ素系樹脂とフッ素ゴムを結合させたエラストマー等の材料であり、シリコーンゴム等ゴム弾性を有するものに、フッ素系樹脂あるいはフッ素ゴムを被覆した複合タイプのものも使用可能である。
さらに、封止剤暴露面積を小さくするために、ガスケットあるいは蓋部に、雌型、雄型のいずれか１つ、あるいは両方が設けてあるとより漏れなく封止できる。前記雌型、雄型の深さは、エラストマーリングの材質及び硬さに準じて設定され、雌型の深さは、リングの厚さの５０〜１００％、より好ましくは７０〜１００％の範囲である。
【００２５】
封止材は、封止材暴露面（１７）を有するので、この封止材暴露面を、例えば、金属層からなるバリア材を積層すると、封止材自身から透過してくるガスを防ぎ、バックグランドを下げることによって、よりバリア性の高いフィルムを測定することが可能となる。
前記封止材暴露面に金属層の積層方法は、溶着、蒸着、スパッタのいずれの方法で設けてもよい。溶着方法は、金属層に用いる金属を溶融できるものであればいずれでも使用可能で、ホットプレート、半田付け、高周波、レーザー等により溶着可能である。より好ましくは、封止材やフィルムに損傷を与えないために、金属層に用いる金属は、インジウム等融点の低い金属がより好ましい。
蒸着法は、物理蒸着法、化学蒸着法のいずれでもよく、プラズマや電子線と組み合わせることも可能である。金属の材質は、アルミ、インジウム、白金、金、鉛等が使用可能で、アルミナ、シリカといった金属酸化膜も使用可能である。
【００２６】
フィルム状試料ガス透過度装置は、基本的に、ガスセル、検出器、温度制御装置、パソコンを備えていればよく、必要に応じて付属品をあってもよい。ガスセルは、図１に示すようにガスセルが独立していてもよく、開口部あるいは対象化合物保有部が配管とつながって装置の一部と成っているものでもよい。また、固定方法及びガスセルは大気中でも真空中でも使用可能であるが、バックグランドを低く保て、より高感度の測定が可能となるため、真空中の方が好ましい。
【００２７】
図２は、本発明のフィルム状試料ガス透過装置の一態様を示す説明図である。
図２の（２０）は、ガスセル、（２１）は、予備排気室、（２２）は、真空チャンバー、（２３）は、検出器、（２４）は、温度制御装置、（２５）は、ポンプ、（２６）は、バルブ、（２７）は、パソコン、（２８）は、ガスセル導入用治具、（２９）は、ポンプ、（３０）は、キャリアガスを示す。
【００２８】
予備排気室（２１）は、予備排気室にて試料を事前に排気しておくことにより、大気からの持ちこみも少なく、真空チャンバーをクリーンの状態に保つことができ、より高精度及び高感度の測定が可能である。到達真空度は真空チャンバーに移せる真空まで到達できれば、いずれでもよいが、より好ましくは１×１０−４Ｐａまで到達するものがよい。また、必要に応じてこれらに電解研磨やバフ研磨やＴｉＮ被覆等、ガスを放出あるいは吸着しにくい表面処理が施されていてもよい。
【００２９】
真空チャンバー（２２）である場合は、１×１０−８Ｐａまで到達する高真空用がよく、より好ましくは１×１０−１０Ｐａまで到達する超高真空用がよい。また、必要に応じてこれらには電解研磨やバフ研磨ＴｉＮ被覆等、ガスを放出あるいは吸着しにくい表面処理が施された方がより好ましい。
【００３０】
検出器（２３）は、測定対象物を検出できるものではいずれもよく、赤外センサー、酸化ジルコニウム、タングステン、ＳＩＭＳ、質量分析計等使用可能であるが、高感度を測定するためには質量分析計の方がより好ましい。
この質量分析計は、磁場を用いるもの、高周波を用いるもの、磁場と高周波を組み合わせて用いるもの等いずれも使用し得るが、小型で取扱いが容易のものとしては高周波を用いる４重極型質量分析計が好ましく、さらに２次電子増倍管付きの４重極質量分析計がより好ましい。
また、定量値を得るためには、質量分析計が測定気体の適当な流量に対して校正されていることが好ましい。ただし、試料間の相対的な比較を行うだけであれば定量値が必要ないので、校正の必要はない。本発明は、質量分析計を用いることにより、酸素及び水蒸気だけではなく、揮発性化合物も適応可能であり、またいくつかの化合物を同時に測定することができる。
【００３１】
温度制御装置（２４）は、フィルム状試料に加温したり、恒温を保てるものではいずれでも使用可能である。また、加温方法として、赤外線等が使用可能である。そして、温度を恒温に保つため、あるいは急速に温度を下げるために、水冷装置等の冷却装置が備え付けられていてもよい。
【００３２】
ポンプ（２５）、（２９）は、高真空用ポンプとして、拡散ポンプ、ターボ分子ポンプ、クライオポンプ、スパッタイオンポンプ、ゲッターポンプ等を使用し得るが、これらの中では排気速度が安定しているターボ分子ポンプが好ましい。また、これらのポンプを複数組み合わせて使用してもよい。
【００３３】
バルブ（２６）は、真空用のバルブをもちいるのが好ましく、より好ましくは、超高真空用のバルブである。また、バルブは、手動のもの、圧縮空気駆動のもの、電磁力駆動のもの、いずれのものも使用し得る。
キャリアーガス（３０）は、不活性のものならばいずれでも使用可能であり、例えば、Ａｒ、Ｎ２、Ｈｅ、Ｈ２等のガスである。
【００３４】
【実施例】
下記に本発明の実施例を示して説明する。
【００３５】
＜実施例１＞
厚さ１００μｍのＰＥＴフィルムに、酸化珪素をプラズマＣＶＤ蒸着したフィルムを金属箔で封止し、図１に示したガスセルに加圧固定治具にて固定し、予備排気室に導入し予備排気後、真空チャンバーに導入した。
この時、水の分圧は、予備排気室から真空チャンバー導入時には、一旦１０−１０Ｔｏｒｒまで上昇するが、３０分後には１０−１３Ｔｏｒｒまで下がり、５時間後に分圧が立ち上がり始め、約３０時間後に分圧が定常となった。
このピーク面積を計算し、透過度に換算した所０．０００１ｇ／ｍ２／ｄａｙと見積もられ、測定可能であることが明らかになった。
【００３６】
＜比較例１＞
実施例１と同様にＰＥＴフィルムに、酸化珪素をプラズマＣＶＤ蒸着したフィルムを、ＭＯＣＯＮ社製ＰＥＲＭＡＴＲＡＮ−ＷＩＤで測定した所、検出器から０．０１ｇ／ｍ２／ｄａｙであることは分かったが、０．０１ｇ／ｍ２／ｄａｙ以下の値は、出力が不安定で正確な値を測定することできないことが明らかになった。
【００３７】
【発明の効果】
以上から明らかなように、本発明のガスセル及びフィルム状試料ガス透過装置は、高真空中の圧力下でも、フィルム状試料とガスケットあるいはフィルム状試料と蓋の間を高密着させリークすることなく、封止剤自身からのガス放出や透過もなく、フィルム状試料とガスケットとを定量的に封止し、金属酸化膜を積層したプラスチックにおいても金属酸化膜が割れたり、クラックが入らず、高精度で、検出限界が、０．０００１ｇ／ｍ２／ｄａｙ以下まで測定が可能である。
【００３８】
【図面の簡単な説明】
【図１】本発明のガスセルの一様態を示す説明断面図。
【図２】本発明のフィルム状試料ガス透過装置の一様態を示す説明図。
【図３】本発明のフィルム状試料ガス透過装置で測定した測定結果を示すグラフ。
【符号の説明】
１０      蓋部
１１      開口部
１２      フィルム状試料
１３      封止材
１４      測定対象化合物保持部
１５      測定対象化合物
１６      加圧固定治具
１７      封止剤暴露面
２０      ガスセル
２１      予備排気室
２２      真空チャンバー
２３      検出器
２４      温度制御装置
２５      ポンプ
２６      バルブ
２７      パソコン
２８      ガスセル導入用治具
２９      ポンプ
３０      キャリアーガス
【図１】
2005017172.tif 000003
【図２】
2005017172.tif 000004
【図３】
2005017172.tif 000005